(57)【要約】      （修正有）【課題】機能部品の取付位置を補正してケーシングを共用化できる、あるいは複数の機種で機能部品を共用化できる衛生洗浄装置および衛生洗浄装置の組立方法を提供する。【解決手段】複数の固定孔が設けられた機能部品と、複数の固定具と、固定具を取り付け固定可能な第１の取付孔が形成された複数の第１の取付部が設けられたケーシングと、複数の第１の取付部のいずれかに固定可能とされ、固定具を取り付け固定可能な第２の取付孔が形成された取付用部材と、を備え、第１の取付部には、機能部品および前記取付用部材のいずれかが択一的に固定具により取付固定可能とされ、機能部品は、複数の固定孔のいずれかにおいては、第２の取付孔に固定された固定具により取付用部材を介してケーシングに固定され、少なくともいずれかとは異なる他の固定孔においては、第１の取付孔に固定された固定具によりケーシングに直接固定されたことを特徴とする衛生洗浄装置。【選択図】図３
2010065489.tif 000002
【特許請求の範囲】
【請求項１】
所定の機能を実行し、複数の固定孔が設けられた機能部品と、
複数の固定具と、
前記固定具を取り付け固定可能な第１の取付孔が形成された複数の第１の取付部が設けられたケーシングと、
前記複数の第１の取付部の少なくともいずれかに固定可能とされ、前記固定具を取り付け固定可能な第２の取付孔が形成された取付用部材と、
を備え、
前記第１の取付部には、前記機能部品および前記取付用部材のいずれかが択一的に前記固定具により取り付け固定可能とされ、
前記機能部品は、前記複数の固定孔の少なくともいずれかにおいては、前記第２の取付孔に固定された前記固定具により前記取付用部材を介して前記ケーシングに固定され、前記少なくともいずれかとは異なる他の固定孔においては、前記第１の取付孔に固定された前記固定具により前記ケーシングに直接固定されたことを特徴とする衛生洗浄装置。
【請求項２】
前記取付用部材は、
前記第１の取付部に固定されるベース部と、
前記第２の取付孔が形成された第２の取付部と、
前記取付用部材の動きを抑止する位置決め部と、
を有することを特徴とする請求項１記載の衛生洗浄装置。
【請求項３】
前記ケーシングは、前記位置決め部と係合する回転止め部を有することを特徴とする請求項２記載の衛生洗浄装置。
【請求項４】
第１の機能を実行し、複数の固定孔が設けられた第１の機能部品と、
第２の機能を実行し、複数の固定孔が設けられた第２の機能部品と、
固定具を取り付け固定可能な第１の取付孔が形成された取付部を複数有するケーシングと、
を組み立てる場合であって、
前記第１の機能部品を固定する際には、前記固定孔において、前記第１の取付孔に前記固定具を固定することにより前記ケーシングに直接固定し、
前記第２の機能部品を固定する際には、前記複数の取付部の少なくともいずれかに、前記固定具を取り付け固定可能な第２の取付孔が形成された取付用部材を前記固定具により取り付け固定し、前記複数の固定孔の少なくともいずれかにおいて、前記第２の取付孔に前記固定具を固定することにより前記取付用部材を介して前記ケーシングに固定し、前記複数の固定孔の少なくともいずれかとは異なる他の固定孔において、前記第１の取付孔に前記固定具を固定することにより前記ケーシングに直接固定することを特徴とする衛生洗浄装置の組立方法。
【発明の詳細な説明】
【技術分野】
【０００１】
本発明の態様は、一般的に、衛生洗浄装置および衛生洗浄装置の組立方法に関し、具体的には、例えば洋式腰掛便器に腰掛けた使用者の「おしり」などを水で洗浄する衛生洗浄装置および衛生洗浄装置の組立方法に関する。
【背景技術】
【０００２】
衛生洗浄装置は、一般的に、洗浄水を温める湯沸かし機能や、局部を洗浄する局部洗浄機能や、局部を乾燥する局部乾燥機能や、脱臭を行う脱臭機能などの各種機能を実行する機能部品と、それらの機能部品を収納するケーシングと、を備えている。このような衛生洗浄装置では、商品需要が個性化あるいは多様化しているため、多くのバリエーションを有する機種が開発され準備されている。
【０００３】
その一方で、多くの衛生洗浄装置では、前述したような機能は共通することが多い。そのため、機能部品やケーシングを機種によらずに共用化できれば、製造コストを抑えることができるため好ましい。そこで、ケーシング（収納ケース）を構成する部材の一部を便器の種類に応じた形状とし、他の部材を便器の種類によらず同一形状とすることにより、他の部材を共用化できる衛生洗浄装置がある（特許文献１）。また、ケーシングの一部（後部ケースと側部ケース）を共用化し、それらの部材の結合部間にスペーサを選択的に介在させることにより、便器の種類に応じて設置することができる衛生洗浄装置がある（特許文献２）。
【０００４】
しかしながら、特許文献１および２に記載された装置は、ケーシングの少なくとも一部を共用化するものであるため、他の機能部品が新たに追加された場合には、その機能部品の本来の取付位置がずれてしまう。そのため、その機能部品を取り付けることができないという問題がある。このような問題は、旧製品の機能部品を新製品の衛生洗浄装置に搭載して流用する場合に顕著になる。
【０００５】
すなわち、例えばケーシングを共用化した新製品が複数機種存在する場合に、それらの複数機種のうちの一部の機種に旧製品の機能部品を搭載して流用することは、製造コストを低減するために一般的になされる。しかしながら、その際に、旧製品における機能部品の取付位置と、新製品における機能部品の設計上の取付位置と、が相違することがある。
【特許文献１】特許第３６０６０４５号公報
【特許文献２】特開昭５８−２２２２３５号公報
【発明の開示】
【発明が解決しようとする課題】
【０００６】
本発明は、かかる課題の認識に基づいてなされたものであり、機能部品の取付位置を補正してケーシングを共用化できる、あるいは複数の機種で機能部品を共用化できる衛生洗浄装置および衛生洗浄装置の組立方法を提供することを目的とする。
【課題を解決するための手段】
【０００７】
第１の発明は、所定の機能を実行し、複数の固定孔が設けられた機能部品と、複数の固定具と、前記固定具を取り付け固定可能な第１の取付孔が形成された複数の第１の取付部が設けられたケーシングと、前記複数の第１の取付部の少なくともいずれかに固定可能とされ、前記固定具を取り付け固定可能な第２の取付孔が形成された取付用部材と、を備え、前記第１の取付部には、前記機能部品および前記取付用部材のいずれかが択一的に前記固定具により取り付け固定可能とされ、前記機能部品は、前記複数の固定孔の少なくともいずれかにおいては、前記第２の取付孔に固定された前記固定具により前記取付用部材を介して前記ケーシングに固定され、前記少なくともいずれかとは異なる他の固定孔においては、前記第１の取付孔に固定された前記固定具により前記ケーシングに直接固定されたことを特徴とする衛生洗浄装置である。
【０００８】
この衛生洗浄装置によれば、機能部品の固定孔の位置がケーシングに形成された第１の取付孔の位置に整合しない場合であっても、第２の取付孔が形成された取付用部材をケーシングの第１の取付部に取り付けることで、機能部品を取付用部材を介してケーシングに固定することができる。その結果、ケーシングを共用化することができ、機能部品を複数の機種で共用化することができる。また、形状が異なる取付用部材を準備しておけば、ケーシングを共用化して、機能部品を共用できる機種を増加させることができる。その結果、新機種の衛生洗浄装置を開発する際に、新たなケーシングや機能部品を開発したり製造する必要がなくなるため、衛生洗浄装置の開発時間の短縮や製造コストの低減などを図ることができる。
【０００９】
また、第２の発明は、第１の発明において、前記取付用部材は、前記第１の取付部に固定されるベース部と、前記第２の取付孔が形成された第２の取付部と、前記取付用部材の動きを抑止する位置決め部と、を有することを特徴とする衛生洗浄装置である。  
この衛生洗浄装置によれば、機能部品の揺れにより取付用部材が回転することを抑止でき、機能部品を安定して取り付けることができる。
【００１０】
また、第３の発明は、第２の発明において、前記ケーシングは、前記位置決め部と係合する回転止め部を有することを特徴とする衛生洗浄装置である。  
この衛生洗浄装置によれば、取付用部材や機能部品を固定する時に、取付用部材が回転することを抑止できる。その結果、取付用部材や機能部品を安定して取り付けることができる。
【００１１】
また、第４の発明は、第１の機能を実行し、複数の固定孔が設けられた第１の機能部品と、第２の機能を実行し、複数の固定孔が設けられた第２の機能部品と、固定具を取り付け固定可能な第１の取付孔が形成された取付部を複数有するケーシングと、を組み立てる場合であって、前記第１の機能部品を固定する際には、前記固定孔において、前記第１の取付孔に前記固定具を固定することにより前記ケーシングに直接固定し、前記第２の機能部品を固定する際には、前記複数の取付部の少なくともいずれかに、前記固定具を取り付け固定可能な第２の取付孔が形成された取付用部材を前記固定具により取り付け固定し、前記複数の固定孔の少なくともいずれかにおいて、前記第２の取付孔に前記固定具を固定することにより前記取付用部材を介して前記ケーシングに固定し、前記複数の固定孔の少なくともいずれかとは異なる他の固定孔において、前記第１の取付孔に前記固定具を固定することにより前記ケーシングに直接固定することを特徴とする衛生洗浄装置の組立方法である。
【００１２】
この衛生洗浄装置の組立方法によれば、機能部品の固定孔の位置がケーシングに形成された第１の取付孔の位置に整合しない場合であっても、第２の取付孔が形成された取付用部材をケーシングの取付部に取り付けることで、機能部品を取付用部材を介してケーシングに固定することができる。その結果、ケーシングを共用化することができ、機能部品を複数の機種で共用化することができる。また、形状が異なる取付用部材を準備しておけば、ケーシングを共用化して、機能部品を共用できる機種を増加させることができる。その結果、新機種の衛生洗浄装置を開発する際に、新たなケーシングや機能部品を開発したり製造する必要がなくなるため、衛生洗浄装置の開発時間の短縮や製造コストの低減などを図ることができる。
【発明の効果】
【００１３】
本発明の態様によれば、機能部品の取付位置を補正してケーシングを共用化できる、あるいは複数の機種で機能部品を共用化できる衛生洗浄装置および衛生洗浄装置の組立方法が提供される。
【発明を実施するための最良の形態】
【００１４】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置の模式斜視図である。  
図１に表したトイレ装置は、洋式腰掛便器３００（以下、単に「便器３００」とも称する。）と、その上に設けられた衛生洗浄装置５００ａ、５００ｂと、を備える。衛生洗浄装置５００ａおよび衛生洗浄装置５００ｂには、後に詳述するように、形状や取付位置などが異なる機能部品がそれぞれ設けられている。なお、洋式腰掛便器３００の洗浄機構としては、いわゆる「ロータンク式」でもよく、あるいはロータンクを用いない「水道直圧式」であってもよい。
【００１５】
衛生洗浄装置５００ａ、５００ｂは、便蓋４００と、便座４１０と、を有する。便蓋４００と便座４１０とは、衛生洗浄装置５００ａ、５００ｂの本体部に対して開閉自在にそれぞれ軸支されている。これら便座４１０および便蓋４００は、手動により開閉できるとともに、電動開閉機構により自動的に開閉可能としてもよい。
【００１６】
衛生洗浄装置５００ａ、５００ｂの内部には、衛生洗浄装置としての機能部（機能部品）が設けられている。すなわち、衛生洗浄装置５００ａ、５００ｂは、便座４１０に座った使用者の「おしり」などに向けて水を噴出する吐水ノズル４２０を有する洗浄機能部などを適宜備える。なお、本願明細書において「水」という場合には、冷水のみならず、加熱されたお湯も含むものとする。
【００１７】
そして、衛生洗浄装置５００ａ、５００ｂは、便座４１０に座った使用者の「おしり」などに向けて温風を吹き付けて乾燥させる温風乾燥機能部を備える。またさらに、便器３００のボウル内の空気を吸い込み、フィルタや触媒などを介して臭気成分を除去する脱臭機能部や、トイレ室内に温風を吹き出してトイレ室を暖房する室内暖房機能部などを備える。これらの動作は、例えば、衛生洗浄装置５００ａ、５００ｂとは別体として設けられたリモコン２００により操作可能としてもよい。
【００１８】
図２は、衛生洗浄装置の内部の具体例を例示する模式斜視図である。  
なお、図２は、固定具１０２が分解された状態を表している。  
衛生洗浄装置５００ａは、図１に関して前述した洗浄機能部や温風乾燥機能部などを収納するケーシング５１０を有する。またさらに、ケーシング５１０は臭気成分を除去する脱臭機能部を収納し固定している。
【００１９】
本具体例の脱臭機能部５５０ａ（第１の機能部品）は、便器３００のボウル内の空気を吸い込むファン５５２ａと、臭気成分を除去する触媒５５４ａと、を有する。ファン５５２ａにより吸い込まれた空気は、触媒５５４ａを通過することにより臭気成分が除去され、その後、衛生洗浄装置５００ａの外部へ排出される。これにより、便器３００のボウル内に存在する臭気をより早く低減することができる。また、脱臭機能部５５０ａには、例えば「ねじ」などの固定具１０２を貫通可能な固定孔５５６ａが形成されている。なお、脱臭機能部５５０ａには、固定孔５５６ａだけに限定されず、固定具を貫通可能な固定孔が複数形成されている。
【００２０】
一方、ケーシング５１０は、洗浄機能部や温風乾燥機能部などを取付可能な例えば「ボス」などと呼ばれる柱状の取付部を複数有する。そして、ケーシング５１０は、脱臭機能部５５０ａを取付可能な柱状の取付部５１２（第１の取付部）を有する。取付部５１２には、後に詳述するように、例えば「ねじ」などの固定具１０２を固定可能な取付孔が形成されている。そのため、固定孔５５６ａを通して取付部５１２に形成された取付孔に固定具１０２を取り付け固定することにより、脱臭機能部５５０ａはケーシング５１０に対して固定される。
【００２１】
なお、ケーシング５１０は、取付部５１２だけに限定されず、脱臭機能部５５０ａを取付可能な複数の取付部を有する。これら複数の取付部には、固定具を固定可能な取付孔がそれぞれ形成されている。そのため、脱臭機能部５５０ａは、複数の固定孔を通して複数の取付部にそれぞれ形成された取付孔に固定具を固定することにより、ケーシング５１０に固定されている。
【００２２】
図３は、衛生洗浄装置の内部の他の具体例を例示する模式斜視図である。  
なお、図３は、固定具１０４が分解された状態を表している。  
本具体例の衛生洗浄装置５００ｂは、図２に表した衛生洗浄装置５００ａのケーシング５１０と共用化されたケーシング５１０を有する。また、本具体例の脱臭機能部５５０ｂ（第２の機能部品）は、図２に表した脱臭機能部５５０ａと同様に、便器３００のボウル内の空気を吸い込むファン５５２ｂと、臭気成分を除去する触媒５５４ｂと、を有する。そして、ファン５５２ｂにより吸い込まれた空気は、触媒５５４ｂを通過することにより臭気成分が除去され、その後、衛生洗浄装置５００ｂの外部へ排出される。これにより、便器３００のボウル内に存在する臭気をより早く低減することができる。
【００２３】
また、脱臭機能部５５０ｂは、例えば「ねじ」などの固定具１０４を貫通可能な固定孔５５６ｂが形成されている。ここで、図３に表した固定孔５５６ｂと、図２に表した固定孔５５６ａと、の位置は相違している。より具体的には、衛生洗浄装置５００ａ、５００ｂを上からそれぞれ見た場合において、図３に表した固定孔５５６ｂと、図２に表した固定孔５５６ａと、の平面上の位置は相違している。これに伴い、衛生洗浄装置５００ａ、５００ｂを上からそれぞれ見た場合において、脱臭機能部５５０ａを取付可能な取付部５１２と、脱臭機能部５５０ｂを支持可能な支持部５１６と、の平面上の位置は相違している。このことについて、図４〜図６を参照しつつ、さらに詳細に説明する。
【００２４】
図４は、本実施形態にかかる衛生洗浄装置のケーシングを上から眺めた模式平面図である。  
また、図５は、比較例にかかる衛生洗浄装置のケーシングを斜めから眺めた模式斜視図である。  
また、図６は、本実施形態にかかる衛生洗浄装置のケーシングを斜めから眺めた模式斜視図である。  
なお、図５および図６は、図４に表した領域Ａを拡大して眺めた拡大図である。
【００２５】
図２に表した脱臭機能部５５０ａを取付可能な取付部５１２と、図３に表した脱臭機能部５５０ｂを支持可能な支持部５１６と、の位置は図４に表したように相違している。すなわち、取付部５１２は支持部５１６よりも前側（便器３００のボウル側）に配置されている。
【００２６】
このようなことは、例えばケーシングを共用化した新製品（衛生洗浄装置）が複数機種存在する場合に、それらの複数機種のうちの一部の機種に旧製品（衛生洗浄装置）の機能部品（ここでは脱臭機能部）を搭載して流用する場合などに生ずる。あるいは、ケーシングを共用化した製品（衛生洗浄装置）において、例えば国内仕様の製品と外国仕様の製品とにそれぞれ搭載すべき機能部品（ここでは脱臭機能部）が異なる場合などに生ずる。
【００２７】
このように、旧製品に搭載した機能部品を新製品に流用したり、ケーシングを共用化することは、製造コストを抑えることができるため好ましい。しかしながら、前述したように、旧製品に搭載した機能部品を新製品に流用したり、ケーシングを共用化したりすると、機能部品の取付位置がそれぞれ異なる場合がある。すなわち、本実施形態にかかる衛生洗浄装置５００ａ、５００ｂにおいては、ケーシング５１０を共用化して異なる脱臭機能部５５０ａ、５５０ｂをそれぞれ搭載すると、脱臭機能部５５０ａ、５５０ｂがそれぞれ有する固定孔５５６ａ、５５６ｂの位置が異なるため、取付部５１２と支持部５１６との位置が異なる。
【００２８】
このとき、図５に表した比較例のケーシング５１１のように、取付部５１２と同様に「ボス」などと呼ばれる柱状の取付部５１８をケーシング５１０の支持部５１６に相当する位置に設けると、脱臭機能部５５０ａを取り付ける際には必要のない取付部５１８が脱臭機能部５５０ａに干渉するおそれがある。そのため、脱臭機能部５５０ａをケーシング５１１に取り付けることができないおそれがある。また、脱臭機能部５５０ａを取り付ける際には必要のない取付部５１８があるために、水を導くチューブなどの排水管の設置が困難となるおそれもある。
【００２９】
さらに、金型のいわゆる「入れ子」を使用して、図５に表した取付部５１８の設置の有無を切り替えたとしても、その切り替えのたびに「入れ子」を交換する必要がある。そのため、金型を分解する必要があり、ケーシング５１１の製造時間が長くなるおそれがある。またさらに、「入れ子」を交換することにより形成された取付部５１８の設置位置にばらつきが生ずるおそれもある。これらによれば、ケーシング５１０を共用化することは困難である。あるいは、脱臭機能部５５０ａ、５５０ｂを流用することは困難である。
【００３０】
そこで、本実施形態にかかる衛生洗浄装置５００ｂは、図３および図６に表したように、脱臭機能部５５０ａ、５５０ｂの取付位置を補正する取付用部材５１４を有する。この取付用部材５１４は、脱臭機能部５５０ａを取付可能な取付部５１２に形成された取付孔５３２（第１の取付孔）（図５参照）を、脱臭機能部５５０ｂを支持可能な支持部５１６に相当する位置に見かけ上移動して補正することができる。すなわち、取付用部材５１４は、ケーシング５１０の取付部５１２に取り付けられた状態において、脱臭機能部５５０ｂを取付可能な取付孔５３６（第２の取付孔）を支持部５１６に相当する位置に有する。
【００３１】
取付用部材５１４および脱臭機能部５５０ｂをケーシング５１０に取り付ける際には、まずケーシング５１０の取付部５１２に取付用部材５１４を上から挿入する。そしてさらに、取付用部材５１４は、取付部５１２に挿入される部分から離間した部分に脱臭機能部５５０ｂを取付可能な取付孔５３６を有するため、その取付孔５３６が支持部５１６に相当する位置に配置されるように、取付用部材５１４の取付角度を調整する。続いて、図３および図６に表したように、取付部５１２に形成された取付孔５３２（図５参照）に固定具１０２を固定することによって、取付用部材５１４をケーシング５１０に固定する。
【００３２】
続いて、取付用部材５１４がケーシング５１０に固定された状態から、図３に表したように、脱臭機能部５５０ｂをケーシング５１０に適宜搭載する。そして、固定具１０４を取付孔５３６に固定することにより、脱臭機能部５５０ｂを取付用部材５１４を介してケーシング５１０に固定することができる。
【００３３】
これによれば、図３に表した脱臭機能部５５０ｂを取り付ける際には、衛生洗浄装置５００ｂは取付孔５３６が形成された取付用部材５１４を有しているため、固定孔５５６ａと固定孔５５６ｂとの位置が相違していたとしても、脱臭機能部５５０ｂをケーシング５１０に取り付けることができる。一方、図２に表した脱臭機能部５５０ａを取り付ける際には、衛生洗浄装置５００ａは取付用部材５１４を有していないため、取付用部材５１４が脱臭機能部５５０ａに干渉することはない。
【００３４】
つまり、脱臭機能部５５０ａ、５５０ｂなどの機能部品に応じて、取付用部材５１４を択一的に取り付けることができる。そのため、本実施形態にかかる衛生洗浄装置５００ａ、５００ｂは、脱臭機能部５５０ａ、５５０ｂの取付位置を補正してケーシング５１０を共用化できる。そして、脱臭機能部５５０ａ、５５０ｂを複数の機種で流用（共用化）することができる。
【００３５】
さらに、形状が異なる取付用部材を準備しておけば、ケーシング５１０を共用化して、脱臭機能部５５０ａ、５５０ｂなどの機能部品を流用できる機種を増加させることができる。これによれば、新機種の衛生洗浄装置を開発する際に、新たなケーシングや機能部品を開発したり製造する必要がなくなるため、衛生洗浄装置の開発時間の短縮や製造コストの低減などを図ることができる。
【００３６】
なお、脱臭機能部５５０ｂは、脱臭機能部５５０ａと同様に、固定孔５５６ｂだけに限定されず、固定具を貫通可能な複数の固定孔を有する。また、ケーシング５１０は、図２に関して前述したように、取付部５１２だけに限定されず、脱臭機能部５５０ｂを取付可能な複数の取付部を有する。そのため、脱臭機能部５５０ｂは、固定孔５５６ｂ以外の固定孔においては、複数の固定孔を通して複数の取付部にそれぞれ形成された取付孔に固定具を固定することにより、取付用部材５１４を介することなくケーシング５１０に固定されている。
【００３７】
あるいは、衛生洗浄装置５００ｂは、１つの取付用部材５１４だけに限定されず、複数の取付用部材を有していてもよい。すなわち、図３に表した衛生洗浄装置５００ｂは、固定孔５５６ｂにおいてのみ取付用部材５１４を介してケーシング５１０に固定されているが、これだけに限定されない。図３に表した衛生洗浄装置５００ｂは、固定孔５５６ｂ以外の少なくともいずれかの固定孔においても、取付用部材５１４と同様の取付用部材を介してケーシング５１０に固定されていてもよい。これによれば、ケーシング５１０を共用化して、脱臭機能部５５０ａ、５５０ｂなどの機能部品を流用できる機種をさらに増加させることができる。
【００３８】
次に、取付用部材の構造および取付方法に関する具体例について、図面を参照しつつ説明する。  
図７は、取付用部材の具体例を表す模式図である。なお、図７（ａ）は、本具体例の取付用部材を斜めから眺めた模式斜視図であり、図７（ｂ）は、本具体例の取付用部材を下から眺めた模式図である。  
また、図８は、本具体例にかかるケーシングを斜めから眺めた模式斜視図である。なお、図８は、図４に表した領域Ｂを拡大して眺めた拡大図である。
【００３９】
取付用部材５１４は、図７に表したように、ケーシング５１０の取付部５１２に挿入され固定されるベース部５３１と、脱臭機能部５５０ｂを取付可能な取付孔５３６（第２の取付孔）が形成された取付部５３７（第２の取付部）と、ベース部５３１と取付部５３７とを連結する接続部５３５と、を有する。ベース部５３１の上端部には、貫通孔５３４が形成されている。この貫通孔５３４は、「ねじ」などの固定具１０２を通すことができる。また、ベース部５３１の内部には、ケーシング５１０の取付部５１２を挿入可能な挿入孔５３３が形成されている。つまり、取付用部材５１４の挿入孔５３３の内径は、ケーシング５１０の取付部５１２の外径よりも大きい。そのため、取付用部材５１４の挿入孔５３３をケーシング５１０の取付部５１２に上から挿入することができる。
【００４０】
取付用部材５１４の取付部５３７の下端部には、位置決め部５３８が形成されている。一方、ケーシング５１０の支持部（回転止め部）５１６は、図８に表したように、位置決め部５３８を挿入可能な挿入孔５２１を有する。つまり、取付用部材５１４の位置決め部５３８の外径は、ケーシング５１０の挿入孔５２１の内径よりも小さい。そのため、取付用部材５１４の位置決め部５３８をケーシング５１０の挿入孔５２１に挿入することができる。すなわち、位置決め部５３８と支持部（回転止め部）５１６とは係合可能である。
【００４１】
取付用部材５１４をケーシング５１０に固定する際には、まず取付用部材５１４をケーシング５１０の取付部５１２に上から挿入する。この際、取付用部材５１４の位置決め部５３８はケーシング５１０の挿入孔５２１に挿入されるため、取付用部材５１４のケーシング５１０に対する相対位置は容易に決まる。また、取付用部材５１４の挿入孔５３３にケーシング５１０の取付部５１２が挿入されることによっても、取付用部材５１４のケーシング５１０に対する相対位置は容易に決まる。
【００４２】
続いて、図６に表したように、貫通孔５３４を通して取付部５１２に形成された取付孔５３２（第１の取付孔）に固定具１０２を固定することにより、取付用部材５１４をケーシング５１０に固定することができる。固定具１０２による固定時には、取付用部材５１４の位置決め部５３８がケーシング５１０の挿入孔５２１に挿入されているため、取付用部材５１４自身の回転は抑止される。つまり、位置決め部５３８は、取付用部材５１４のケーシング５１０に対する位置を決定する機能と、取付用部材５１４を固定する時の取付用部材５１４自身の回転を抑止する機能と、を兼ねている。
【００４３】
そして、図６に関して前述したように、脱臭機能部５５０ｂをケーシング５１０に適宜搭載する。続いて、固定孔５５６ｂを通して取付用部材５１４の取付孔５３６に固定具１０４を固定することにより、脱臭機能部５５０ｂを取付用部材５１４を介してケーシング５１０に固定することができる。この際、取付用部材５１４の挿入孔５３３にケーシング５１０の取付部５１２が挿入されているため、脱臭機能部５５０ｂを固定する時の取付用部材５１４の回転は抑止される。
【００４４】
本具体例の取付用部材５１４によれば、より簡易的な形状によって、取付用部材５１４のケーシング５１０に対する相対位置を容易に決定し、取付用部材５１４や脱臭機能部５５０ｂを固定する時の取付用部材５１４の回転を抑止できる。また、接続部５３５の下には補強部５３９が設けられているため、取付用部材５１４全体の強度を向上することができる。
【００４５】
図９は、取付用部材の変形例を表す模式図である。なお、図９（ａ）は、本変形例の取付用部材を斜めから眺めた模式斜視図であり、図９（ｂ）は、本変形例の取付用部材を下から眺めた模式図である。  
また、図１０は、本変形例にかかるケーシングを上から眺めた模式平面図である。  
また、図１１は、本変形例にかかるケーシングを斜めから眺めた模式斜視図である。なお、図１１は、図１０に表した領域Ｃを拡大して眺めた拡大図である。  
また、図１２は、本変形例のケーシングに脱臭機能部５５０ｂが固定された状態を表す模式斜視図である。なお、図１２は、固定具１０４が分解された状態を表している。
【００４６】
本変形例にかかる取付用部材５１４ａは、図７に表した取付用部材５１４と同様に、ベース部５４１と、取付孔５３６が形成された取付部５３７と、ベース部５４１と取付部５３７とを連結する接続部５３５と、を有する。ベース部５４１の内部には、ケーシング５１０の取付部５１２を挿入可能な挿入孔５４３が形成され、その下部には位置決め部５４５が形成されている。
【００４７】
位置決め部５４５は、図９に表したように、略直方体の空間を有し、図１１に表したケーシング５１０ａの取付部５１２の下部に設けられた突起部５１３に挿入される。つまり、位置決め部５４５の空間は、ケーシング５１０ａの取付部５１２の下部に設けられた突起部５１３の外形よりも大きい。そのため、取付用部材５１４ａの挿入孔５４３をケーシング５１０ａの取付部５１２に上から挿入可能であり、且つ位置決め部５４５を突起部５１３に挿入可能である。すなわち、位置決め部５４５と突起部５１３とは係合可能である。
【００４８】
取付用部材５１４ａの取付部５３７の下端部には、回転止め部５４７が形成されている。回転止め部５４７は、図９（ｂ）に表したように、略鉤形を有している。一方、ケーシング５１０ａには、図１０および図１１に表したように、支持部（回転止め部）５１６ａが設けられている。支持部５１６ａは、回転止め部５４７と同様に、略鉤形を有している。そのため、取付用部材５１４ａの回転止め部５４７とケーシング５１０ａの支持部（回転止め部）５１６ａとは、係合することにより、取付用部材５１４ａを固定する際に取付用部材５１４ａ自身が回転することを抑止できる。
【００４９】
取付用部材５１４ａをケーシング５１０ａに固定する際には、まず取付用部材５１４ａをケーシング５１０ａの取付部５１２に上から挿入する。この際、略直方体の空間を有する位置決め部５４５は突起部５１３に挿入されるため、取付用部材５１４ａのケーシング５１０ａに対する相対位置は容易に決まる。続いて、図１２に表したように、貫通孔５３４を通して取付部５１２に形成された取付孔５３２に固定具１０２を固定することにより、取付用部材５１４ａをケーシング５１０ａに固定することができる。固定具１０２による固定時には、前述したように、回転止め部５４７と支持部５１６ａとが係合することにより、取付用部材５１４ａ自身が回転することを抑止できる。
【００５０】
そして、図１２に表したように、脱臭機能部５５０ｂをケーシング５１０に適宜搭載し、脱臭機能部５５０ｂの固定孔５５６ｂを通して、取付用部材５１４ａの取付孔５３６に固定具１０４を固定する。これにより、脱臭機能部５５０ｂを取付用部材５１４ａを介してケーシング５１０ａに固定することができる。この際、取付用部材５１４ａの挿入孔５４３にケーシング５１０ａの取付部５１２が挿入され、且つ位置決め部５４５に突起部５１３が挿入されているため、脱臭機能部５５０ｂを固定する時の取付用部材５１４の回転は抑止される。
【００５１】
本変形例の取付用部材５１４ａによれば、回転止め部５４７と支持部５１６ａとの係合により、取付用部材５１４自身の回転を抑止できるため、ケーシング５１０ａの形状をより簡略化できる。また、図７に表した取付用部材５１４と同様に、接続部５３５の下には補強部５３９が設けられているため、取付用部材５１４ａ全体の強度を向上することができる。
【００５２】
図１３は、取付用部材がケーシングに取り付けられた状態を拡大して眺めた模式拡大図である。  
なお、図１３（ａ）は、取付用部材を斜めから眺めた模式斜視図であり、図１３（ｂ）は、図１３（ａ）に表した矢視Ｄの方向に見た断面図を表す模式断面図である。  
ここでは、図９〜図１２に関して前述した変形例にかかる取付用部材５１４ａを例に挙げて説明する。但し、以下の説明については、図７に関して前述した具体例にかかる取付用部材５１４においても同様である。
【００５３】
取付用部材５１４ａがケーシング５１０ａに取り付けられた状態では、図１３（ａ）に表したように、ベース部５４１と取付部５３７と接続部５３５とケーシング５１０ａとで囲まれた部分に隙間Ｅが存在する。隙間Ｅは、図１３（ａ）に表した矢視Ｄの方向に見た場合に、貫通している。そのため、図１３（ｂ）に表したように、例えば水を導くチューブなどの排水管１１１を隙間Ｅに通すことができる。隙間Ｅに通して設置するものは、排水管１１１に限定されず、例えば線材などであってもよい。
【００５４】
このように、取付用部材５１４ａをケーシング５１０ａに取り付けた場合であっても、ケーシング５１０ａの取付部５１２と支持部５１６ａとの間の空間が塞がれることはないため、排水管１１１や線材などの設置が困難になるおそれは少ない。また、排水管１１１や線材などを隙間Ｅに通すことにより、複数の排水管１１１や線材などを略結束することができる。また、隙間Ｅにより、ケーシング５１０ａ内を流れる水の通り道を塞がないので、ケーシング５１０ａの水はけ性が維持される。さらに、取付用部材５１４ａは、ベース部５４１と取付部５３７との上部間を接続部５３５で連結されているので、取付用部材５１４ａの成型時に変形が生じても、その変形は、ベース部５４１と取付部５３７とをケーシング５１０ａに組み立てた際に矯正される。そのため、組立作業を行いやすい。
【００５５】
以上説明したように、本実施形態によれば、取付用部材５１４は、脱臭機能部５５０ａを取付可能な取付部５１２に形成された取付孔５３２を、脱臭機能部５５０ｂを支持可能な支持部５１６に相当する位置に見かけ上移動して補正することができる。これによれば、脱臭機能部５５０ａの固定孔５５６ａと脱臭機能部５５０ｂの固定孔５５６ｂとにそれぞれ形成された固定孔の位置が相違していたとしても、脱臭機能部５５０ａ、５５０ｂをケーシング５１０にそれぞれ取り付けることができる。その結果、ケーシング５１０を共用化することができる。また、脱臭機能部５５０ａ、５５０ｂを複数の機種で流用（共用化）することができる。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、取付用部材５１４、５１４ａやケーシング５１０、５１０ａなどが備える各要素の形状、寸法、材質、配置などや脱臭機能部５５０ａ、５５０ｂの設置形態などは、例示したものに限定されるわけではなく適宜変更することができる。また例えば、ケーシング５１０の支持部５１６が有する挿入孔５２１は略丸孔であるが、これだけに限定されず、略長孔であってもよい。これであっても、取付用部材５１４の位置を決定し、取付用部材５１４自身の回転を抑止することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００５７】
【図１】本発明の実施の形態にかかる衛生洗浄装置を備えたトイレ装置の模式斜視図である。
【図２】衛生洗浄装置の内部の具体例を例示する模式斜視図である。
【図３】衛生洗浄装置の内部の他の具体例を例示する模式斜視図である。
【図４】本実施形態にかかる衛生洗浄装置のケーシングを上から眺めた模式平面図である。
【図５】比較例にかかる衛生洗浄装置のケーシングを斜めから眺めた模式斜視図である。
【図６】本実施形態にかかる衛生洗浄装置のケーシングを斜めから眺めた模式斜視図である。
【図７】取付用部材の具体例を表す模式図である。
【図８】本具体例にかかるケーシングを斜めから眺めた模式斜視図である。
【図９】取付用部材の変形例を表す模式図である。
【図１０】本変形例にかかるケーシングを上から眺めた模式平面図である。
【図１１】本変形例にかかるケーシングを斜めから眺めた模式斜視図である。
【図１２】本変形例のケーシングに脱臭機能部５５０ｂが固定された状態を表す模式斜視図である。
【図１３】取付用部材がケーシングに取り付けられた状態を拡大して眺めた模式拡大図である。
【符号の説明】
【００５８】
１０２、１０４ 固定具、  １１１ 排水管、  ２００ リモコン、  ３００ 洋式腰掛便器、  ４００ 便蓋、  ４１０ 便座、  ４２０ 吐水ノズル、  ５００ａ、５００ｂ 衛生洗浄装置、  ５１０、５１０ａ、５１１ ケーシング、  ５１２ 取付部、  ５１３ 突起部、  ５１４、５１４ａ 取付用部材、  ５１６、５１６ａ 支持部、  ５１８ 取付部、  ５２１ 挿入孔、  ５３１ ベース部、  ５３２ 取付孔、  ５３３ 挿入孔、  ５３４ 貫通孔、  ５３５ 接続部、  ５３６ 取付孔、  ５３７ 取付部、  ５３８ 位置決め部、  ５３９ 補強部、  ５４１ ベース部、  ５４３ 挿入孔、  ５４５ 位置決め部、  ５４７ 回転止め部、  ５５０ａ、５５０ｂ 脱臭機能部、  ５５２ａ、５５２ｂ ファン、  ５５４ａ、５５４ｂ 触媒、  ５５６ａ、５５６ｂ 固定孔
【図１】
2010065489.tif 000003
【図２】
2010065489.tif 000004
【図３】
2010065489.tif 000005
【図４】
2010065489.tif 000006
【図５】
2010065489.tif 000007
【図６】
2010065489.tif 000008
【図７】
2010065489.tif 000009
【図８】
2010065489.tif 000010
【図９】
2010065489.tif 000011
【図１０】
2010065489.tif 000012
【図１１】
2010065489.tif 000013
【図１２】
2010065489.tif 000014
【図１３】
2010065489.tif 000015